(57)【要約】【課題】ウェットティッシュの品質低下を防止することができるウェットティッシュ容器を提供する．【解決手段】内部に複数枚のウェットティッシュが収容されると共に、上面にウェットティッシュを取出す取出口５が形成された容器本体２と、前記取出口５を開閉自在に塞ぐ蓋体４と、を備えたウェットティッシュ容器１であって、前記容器本体２の上面には、前記取出口５を囲むように気密部材８ａが設けられ、前記蓋体４を閉じた状態では、この気密部材８ａと蓋体４とが密接する構成とする。【選択図】図４
2006341905.tif 000002
【特許請求の範囲】
【請求項１】
内部に複数枚のウェットティッシュが収容されると共に、上面にウェットティッシュを取出す取出口が形成された容器本体と、前記取出口を開閉自在に塞ぐ蓋体と、を備えたウェットティッシュ容器であって、
前記容器本体の上面には、前記取出口を囲むように気密部材が設けられ、
前記蓋体を閉じた状態では、この気密部材と蓋体とが密接する構成とされた、
ことを特徴とするウェットティッシュ容器。
【請求項２】
前記気密部材は、前記取出口を囲むように形成された溝部に嵌合されている、請求項１記載のウェットティッシュ容器。
【請求項３】
内部に複数枚のウェットティッシュが収容されると共に、上面に凹部が形成され、かつこの凹部の略中央にウェットティッシュを取出す取出口が形成された容器本体と、前記取出口を開閉自在に塞ぐ蓋体と、を備えたウェットティッシュ容器であって、
前記凹部には、この凹部の周縁と対向すると共に、前記取出口を囲むように起立壁が形成され、
前記起立壁と凹部の周縁とで溝部が形成されると共に、この溝部には気密部材が嵌合され、
前記蓋体の内側には、この蓋体を閉じた状態で、前記凹部の全周にわたって周縁に沿うように配置され、かつ前記気密部材と密接するリブが形成された、
ことを特徴とするウェットティッシュ容器。
【請求項４】
前記起立壁又は凹部の周縁の側面に、前記気密部材を係止する突起が設けられた、請求項３記載のウェットティッシュ容器。
【請求項５】
前記気密部材が、前記溝部に接着により取付けられた構成とされた、請求項３記載のウェットティッシュ容器。
【請求項６】
気密部材は、軟質材又は弾性体から構成された、請求項１乃至５のいずれか１項記載のウェットティッシュ容器。
【発明の詳細な説明】
【技術分野】
【０００１】
本発明は、ウェットティッシュを収納するウェットティッシュ容器に関するものである。
【背景技術】
【０００２】
ウェットティッシュは、未使用時または不使用時に湿潤状態を維持するために、気密とされた容器内に、又は詰め替え用の包装袋内に収容された状態で前記容器内に、所定枚数分だけ折り畳まれた状態で収容されている。この種のウェットティッシュにおいては、上下段のウェットティッシュが互いに重ね部分を持ちながら積み重ねられており、最上部のウェットティッシュを容器から取り出すと、次のウェットティッシュが取り出し易いように、容器の取出口よりその一部が突出する、いわゆるポップアップ方式の重畳構造が採用されている。
【０００３】
そして、ウェットティッシュ容器は、一般的には、ウェットティッシュを収納する容器本体と、容器本体の上部に形成されたウェットティッシュ取出口を未使用時または不使用時に塞ぐことが可能な蓋体と、を備えている（例えば、特許文献１参照）。
【特許文献１】特開２００３−４０３６１号公報
【発明の開示】
【発明が解決しようとする課題】
【０００４】
しかしながら、このようなウェットティッシュ容器は、容器本体と蓋体との納まりにおいて密閉性を確保し難く、ウェットティッシュ に浸透している薬液が外部に蒸散してしまい、ウェットティッシュが乾燥し、品質が低下する虞があった。
【０００５】
そこで、本発明の主たる課題は、かかる従来の課題に鑑みてなされたものであり、ウェットティッシュの品質低下を防止することができるウェットティッシュ容器を提供することにある。
【課題を解決するための手段】
【０００６】
上記課題を解決した本発明は、次のとおりである。
＜請求項１記載の発明＞
請求項１記載の発明は、内部に複数枚のウェットティッシュが収容されると共に、上面にウェットティッシュを取出す取出口が形成された容器本体と、前記取出口を開閉自在に塞ぐ蓋体と、を備えたウェットティッシュ容器であって、前記容器本体の上面には、前記取出口を囲むように気密部材が設けられ、前記蓋体を閉じた状態では、この気密部材と蓋体とが密接する構成とされた、ことを特徴とするウェットティッシュ容器である。
【０００７】
＜請求項２記載の発明＞
請求項２記載の発明は、前記気密部材は、前記取出口を囲むように形成された溝部に嵌合されている、請求項１記載のウェットティッシュ容器である。
【０００８】
（作用効果）
容器本体の上面には、ウェットティッシュ取出口を囲むように気密部材が設けられ、蓋体を閉じた状態では、この気密部材と蓋体とが密接する構成とすることにより、容器本体内に収められたウェットティッシュから薬液等が外部に蒸散することを防ぎ、ウェットティッシュの品質低下を防止することができる。
また、蓋体の内面に気密部材を取付けた場合には、蓋体の開閉を繰り返すことによって蓋自体が変形してしまう虞があり、このように変形した状態では気密性（密閉性）の確保が難しくなってしまうが、本発明では気密部材を容器本体の上面に設けたことにより、蓋体の内面に気密部材を取付ける場合に比べて、より長期かつ安定的にウェットティッシュの品質を確保することができる。
なお、気密部材の固定については、ウェットティッシュ取出口を囲むように形成された溝部に嵌合することにより固定してもよい。
【０００９】
＜請求項３記載の発明＞
請求項３記載の発明は、内部に複数枚のウェットティッシュが収容されると共に、上面に凹部が形成され、かつこの凹部の略中央にウェットティッシュを取出す取出口が形成された容器本体と、前記取出口を開閉自在に塞ぐ蓋体と、を備えたウェットティッシュ容器であって、前記凹部には、この凹部の周縁と対向すると共に、前記取出口を囲むように起立壁が形成され、前記起立壁と凹部の周縁とで溝部が形成されると共に、この溝部には気密部材が嵌合され、前記蓋体の内側には、この蓋体を閉じた状態で、前記凹部の全周にわたって周縁に沿うように配置され、かつ前記気密部材と密接するリブが形成された、ことを特徴とするウェットティッシュ容器である。
【００１０】
（作用効果）
凹部には、この凹部の周縁と対向すると共に、取出口を囲むように起立壁が形成され、起立壁と凹部の周縁とで溝部が形成されると共に、この溝部には気密部材が嵌合され、蓋体の内側には、この蓋体を閉じた状態で、凹部の全周にわたって周縁に沿うように配置され、かつ気密部材と密接するリブを形成する構成とすることにより、蓋体を閉じた状態で、気密部材とリブとを密接させることによって容器本体内に収められたウェットティッシュから薬液等が外部に蒸散することを防ぎ、ウェットティッシュの品質低下を防止することができる。
また、蓋体の内面に気密部材を取付けた場合には、蓋体の開閉を繰り返すことによって蓋自体が変形してしまう虞があり、このように変形した状態では気密性（密閉性）の確保が難しくなってしまうが、本発明では気密部材を容器本体の上面に設けたことにより、蓋体の内面に気密部材を取付ける場合に比べて、より長期かつ安定的にウェットティッシュの品質を確保することができる。
【００１１】
＜請求項４記載の発明＞
請求項４記載の発明は、前記起立壁又は凹部の周縁の側面に、前記気密部材を係止する突起が設けられた、請求項３記載のウェットティッシュ容器である。
【００１２】
＜請求項５記載の発明＞
請求項５記載の発明は、前記気密部材が、前記溝部に接着により取付けられた構成とされた、請求項３記載のウェットティッシュ容器である。
【００１３】
（作用効果）
起立壁又は凹部の周縁の側面に、記気密部材を係止する突起を設ける構成とすることにより、気密部材の溝部への固定の容易化を図ることができる。
また、気密部材を溝部に接着で取付ける構成により固定することもできる。
【００１４】
＜請求項６記載の発明＞
請求項６記載の発明は、気密部材は、軟質材又は弾性体から構成された、請求項１乃至５のいずれか１項記載のウェットティッシュ容器である。
【００１５】
（作用効果）
気密部材を軟質材又は弾性体で構成することによって、気密部材が変形して咬み合いながら密接することができ、より気密性（密閉性）の確保がし易くなる。
【発明の効果】
【００１６】
本発明によれば、ウェットティッシュの品質低下を防止することができる等の利点がもたらされる。
【発明を実施するための最良の形態】
【００１７】
以下、図１乃至図５に基づき、本発明の実施の形態を説明する。なお、図１は本発明に係るウェットティッシュ容器の斜視図であり、図２はウェットティッシュ容器本体のＩ―Ｉ断面図であり、図３は蓋体のＩ―Ｉ断面図であり、図４は蓋体を閉じた状態のウェットティッシュ容器のＩ―Ｉ断面図であり、図５は蓋体を閉じた状態の他の実施形態のウェットティッシュ容器のＩ―Ｉ断面図である。
【００１８】
本発明に係るウェットティッシュ容器１は、図１に示すように、底面が開口とされるウェットティッシュ容器本体２と、この容器本体２の底部に着脱自在に取り付けられる底蓋３と、容器本体２の上部に形成されたウェットティッシュ取出口５を開閉自在に塞ぐことが可能な蓋体４と、を備えている。そして、この容器本体２へのウェットティッシュの収納は、底蓋３を容器本体２から取外して、容器本体２の底部から行なわれる。
【００１９】
容器本体２の上面には、図１及び図２に示すように、蓋体４よりも若干大きい略矩形状であり、かつ容器本体２上面より蓋体４の厚み分だけ一段低い段差が設けられた段差部２ａが形成されており、これによってウェットティッシュ取出口５を蓋体４が塞ぐ際には、図４に示すように、容器本体２の上面と蓋体４の上面とが面一になるようになっている。
【００２０】
また、容器本体２の上面であって、かつ段差部２ａの略中央には、図１及び図２に示すように、段差部２ａからさらに一段低い略楕円状の凹部６が形成されており、この凹部６には、凹部６の周縁に囲まれるようにウェットティッシュを取出す取出口５が形成されている。なお、凹部６が形成されていることによって、図４に示すように、蓋体４を閉じた状態で、蓋体４の内側と取出口５との間に空間を形成し、この空間内に取出口５から突出したウェットティッシュを収めるようにしている。
【００２１】
さらに、容器本体２の上面には、図１に示すように、容器本体２の一側辺側を回動支点として開閉自在とされた蓋体４が設けられており、この蓋体４は未使用時または不使用時に取出口５を塞ぐように構成されている。この蓋体４の内面の中央付近には、図１、図３及び図４に示すように、下方（内側）に突出し、かつ凹部６の全周にわたって周縁（周壁）に沿うように形成された略楕円状のリブ４ａが設けられている。そして、このリブ４ａは、後述するように、容器本体２の溝部７に嵌合された気密部材８ａに密接するように配置されている。
【００２２】
凹部６には、図２及び図４に示すように、取出口５を囲むように略楕円状に起立し、かつ凹部６の周縁に沿うように形成された起立壁６ａが設けられている（図１では省略してある）。この起立壁６ａと凹部６の周壁とで、取出口５を環状に囲むように溝部７が形成されており、この溝部７に環状の気密部材８ａを嵌め込むことによって、蓋体４のリブ４ａとの間で気密性（密閉性）が確保され、ウェットティッシュが湿潤状態に維持されるようになっている。
【００２３】
気密部材８ａは、シリコン樹脂等の軟質材、加硫ゴム、熱可塑性エラストマー、弾性繊維、弾性発泡体、合成ゴム、発泡ポリエチレン等の弾性体などが考えられる。そして、図２に示すように、気密部材８ａは側面に溝状部分を有する断面コの字形状をしており、この溝状部分が起立壁６ａの側面から突出した突起６０に係止され、溝部７に固定されるようになっている。起立壁６ａには、この突起６０が数箇所（例えば、楕円の短軸・長軸方向のそれぞれ２箇所ずつで計４箇所）形成され、この突起６０，６０，…に気密部材８ａの溝状部分が係止されるようになっているが、突起６０，６０，…に換えて、起立壁６ａの側面全周に突起を延在させた係止リブ（図示せず）を形成し、この係止リブによって気密部材８ａを係止してもよい。これら突起６０や係止リブによって、気密部材８ａの凹部６の溝部７への固定の容易化を図っている。
【００２４】
凹部６の溝部７に取付けられた気密部材８ａは、蓋体４を閉じた状態で蓋体４のリブ４ａと当接するように配設されていることにより、容器本体２内に収められたウェットティッシュから薬液が外部に蒸散することを防ぎ、ウェットティッシュの品質低下を防止している。
【００２５】
図示はしないが、蓋体４の内面に気密部材を取付け、この気密部材を容器本体２の凹部６に当接させる構成としてもよい。しかしながら、蓋体４に取付けたときに、蓋体４の開閉を繰り返すことによって蓋４自体が変形してしまう虞があり、このように変形した状態では気密性（密閉性）の確保が難しくなる。したがって、蓋体４の内面に気密部材を取付けて気密性（密閉性）の確保を図るのではなく、上述のように、容器本体２に気密部材を取付けて気密性（密閉性）の確保を図る構成とした方が、長期かつ安定的にウェットティッシュの品質を確保することができるため好ましい。なお、図５に示すように、突起６０や係止リブに換えて、凹部６の溝部７と接着等することにより、気密部材８ｂを固定してもよい。
【図面の簡単な説明】
【００２６】
【図１】本発明に係るウェットティッシュ容器の斜視図である。
【図２】ウェットティッシュ容器本体のＩ―Ｉ断面図である。
【図３】蓋体のＩ―Ｉ断面図である。
【図４】蓋体を閉じた状態のウェットティッシュ容器のＩ―Ｉ断面図である。
【図５】蓋体を閉じた状態の他の実施形態のウェットティッシュ容器のＩ―Ｉ断面図である。
【符号の説明】
【００２７】
１…ウェットティッシュ容器、２…ウェットティッシュ容器本体、２ａ…段差部、３…底蓋、４…蓋体、４ａ…リブ、５…ウェットティッシュ取出口、６…凹部、６ａ…起立壁、７…溝部、８ａ，８ｂ…気密部材、６０…突起。
【図１】
2006341905.tif 000003
【図２】
2006341905.tif 000004
【図３】
2006341905.tif 000005
【図４】
2006341905.tif 000006
【図５】
2006341905.tif 000007